(57)【要約】【課題】スラットカーテンの閉鎖状態でスラットカーテン側端のガイドレールからの抜出を防止し、充分な耐風圧性能を発揮できると同時に、巻取状態でのスラット端部の引っ掛かりや乗り上げも避けることができ、巻取状態での径大化も抑制できるようにした。【解決手段】スラットカーテン８を構成するスラット１５の側端部分に係合部材２０を設け、スラット１５を案内するガイドレール５のガイド溝１０内に係合部材２０を抜止め状態に係合させる被係合部１２を設け、係合部材２０を被係合部１２に抜け止め状態に係合自在とさせることにより、スラット１５のガイド溝１０からの抜け出しを規制するようにしたシャッターにおけるスラットカーテンの抜止め構造において、係合部材２０は、少なくともスラット１５の厚さ方向への突出部分が、各スラット１５が巻かれた際に重なり合うスラット１５同士の押圧力により、スラット１５の厚さ方向に押圧縮小可能な構造とした。【選択図】  図３
2016125310.tif 000002
【特許請求の範囲】
【請求項１】
建物用シャッターにおけるスラットカーテンを構成するスラットの側端部分に係合部材を設け、スラットを案内するガイドレールのガイド溝内に係合部材を抜止め状態に係合させる被係合部を設け、前記係合部材を前記被係合部に抜け止め状態に係合自在とさせることにより、スラットのガイド溝からの抜け出しを規制するようにしたシャッターにおけるスラットカーテンの抜止め構造において、
前記係合部材は、少なくともスラットの厚さ方向への突出部分が、各スラットが巻かれた際に重なり合うスラット同士の押圧力により、スラットの厚さ方向に押圧縮小可能な構造とされていることを特徴とするシャッターにおけるスラットカーテンの抜止め構造。
【請求項２】
前記係合部材は、前記スラットの側端部分の背面に固定した固定片と、該固定片に開閉可能に設けられ、かつその開き側の最大傾動角度が所定角度に規制された回動片よりなる係合片と、該係合片を開き側に付勢する付勢手段とを備え、係合片の開き側への傾動角度でその傾動端がガイド溝の内側に沿って設けられた前記被係合部に抜止め状態に係合自在とされたことを特徴とする請求項１に記載のシャッターにおけるスラットカーテンの抜止め構造。
【請求項３】
前記係合部材は、前記スラットの側端部分の背面に基部が開閉可能に設けられ、かつ開き側の最大傾動角度が所定角度に規制された回動片よりなる係合片と、該係合片を開き側に付勢する付勢手段とを備え、係合片の開き側への傾動角度でその傾動端がガイド溝の内側に沿って設けられた前記被係合部に抜止め状態に係合自在とされたことを特徴とする請求項１に記載のシャッターにおけるスラットカーテンの抜止め構造。
【請求項４】
前記係合部材は、湾曲若しくは折り曲げ状態に形成された板ばね材からなり、該板ばね材の固定部をスラットの背面に固定するとともに、板ばね材のばね端となる係合部をガイド溝の内側に沿って設けられた前記被係合部に抜止め状態に係合自在としたことを特徴とする請求項１に記載のスラットカーテンの抜止め構造。
【発明の詳細な説明】
【技術分野】
【０００１】
本発明は、例えば、台風などの大きな風圧がシャッターにおけるスラットカーテンに加わった際に、スラットカーテンがその内外方向に湾曲し、スラットカーテンを構成する各スラットの側端が、これを摺動可能にガイドするガイドレール内側より抜出してしまうことを防止するための抜止め構造の改良に関するものである。
【背景技術】
【０００２】
前記スラットカーテンは、複数の横長の金属帯板部材の上下端を上下方向に回動可能に連結した複数のスラット同士を撓曲自在に連結したものであり、横方向については側端がガイドレールにより規制されているだけであるため、台風などによる大風の際などは、その風圧によりスラットカーテンが前後に湾曲変形し、各スラットの側端がガイド溝から抜出し、耐風機能を損うおそれがある。また、閉鎖状態にあるスラットカーテンの側端を、建物外部から人為的にこじ開けるようにして、不法に侵入される恐れもある。
【０００３】
そこで、従来ではスラットに抜出し防止用の耐風爪を設けて、ガイド溝からの抜け出しを防止する構造が採用されている（例えば特許文献１，２参照）。
【０００４】
例えば特許文献１記載の技術では、図７（ａ），（ｂ）に示すように、スラットａの側端部のスラット裏面に、スラットの表面から突出するように、スラットの長手方向内向きに略Ｌ形の耐風爪ｂを設け、ガイドレールｃのガイド溝開口端内部に設けた被係合部ｄに引っ掛けることで、スラットカーテンの抜出しを防止するようにしている。被係合部ｄは、ガイド溝の開口縁に内向き略Ｌ形若しくは内向き略コ形に形成され、略コ形ガイドレールｃの開口部の対向内縁に設けた、略コ形のモヘアポケット等の緩衝帯保持溝の背部に一体的に形成されている。
【先行技術文献】
【特許文献】
【０００５】
【特許文献１】特開平９−５３３７６号公報
【特許文献２】実開昭６２−８５６８８号
【発明の概要】
【発明が解決しようとする課題】
【０００６】
上記、図７（ａ），（ｂ）の従来技術では、ガイドレール断面形状を比較的簡素化し、コンパクトにすることができ、被係合部ｄも上記緩衝帯保持溝ｅの背部に一体化して強固である。
しかしながら、スラットカーテンを上部の収納部内に巻き取った際に、例えば図７（ｃ）に示すように、耐風爪ｂに重なり合うスラットａの側端が、耐風爪ｂに引っ掛かり、あるいは図７（ｄ）に示すように、乗上げるなどして開閉動作がスムーズに出来なくなるおそれがあった。
【０００７】
本発明は以上の課題を解決するためになされたものであって、その目的とするところは、スラットカーテンの閉鎖状態で大きな風圧等によるスラットカーテン側端のガイドレールからの抜出を防止すると同時に、巻取状態でのスラット端部の引っ掛かりや乗り上げも避けることができ、巻取状態での径大化も抑制できるようにした、シャッターにおけるスラットカーテンの抜止め構造を提供するものである。
【課題を解決するための手段】
【０００８】
上記の課題を解決するための手段を、図の実施形態を参照して述べる。
【０００９】
請求項１では、建物用シャッターにおけるスラットカーテン８を構成するスラット１５の側端部分に係合部材２０（３０）を設け、スラット１５を案内するガイドレール５のガイド溝１０内に係合部材２０（３０）を抜止め状態に係合させる被係合部１２を設け、前記係合部材２０（３０）を前記被係合部１２に抜け止め状態に係合自在とさせることにより、スラット１５のガイド溝１０からの抜け出しを規制するようにしたシャッターにおけるスラットカーテンの抜止め構造において、
前記係合部材２０（３０）は、少なくともスラット１５の厚さ方向への突出部分が、各スラット１５が巻かれた際に重なり合うスラット１５同士の押圧力により、スラット１５の厚さ方向に押圧縮小可能な構造とされているシャッターにおけるスラットカーテンの抜止め構造を特徴とする。
【００１０】
上記の構成では、スラットカーテン８の閉鎖展張時には、ガイド溝１０内において、被係合部１２に、スラット１５端部の係合部材２０（３０）が抜け止め状態に係合し、スラットカーテン８側端のガイド溝１０からの抜け出しが規制される。
スラットカーテン１５が上方の収納部７において巻き取られた状態では、係合部材２０（３０）のスラット１５厚さ方向への突出部分が、巻き取り方向に互いに重なり合うスラット１５同士の押圧力により、スラット１５の厚さ方向に押圧縮小され、上記従来構造における、耐風爪に重なり合うスラット側端の引っかかりや、乗上げなどの不具合が生じにくい。
さらに、スラットカーテン８の上方収納部７内における卷径も縮小される。
【００１１】
請求項２では、図２及び図３の実施形態に示されるとおり、前記係合部材２０は、前記スラット１５の側端部分の背面に固定した固定片２０Ｂと、該固定片２０Ｂに開閉可能に設けられ、かつその開き側の最大傾動角度が所定角度に規制された回動片よりなる係合片２０Ａと、該係合片２０Ａを開き側に付勢する付勢手段とを備え、係合片２０Ａの開き側への傾動角度でその傾動端がガイド溝１０の内側に沿って設けられた前記被係合部１２に抜止め状態に係合自在としたことを特徴とする。
【００１２】
上記の構成では、スラットカーテン８の閉鎖展張時には、ガイド溝１０内において、被係合部１２に、スラット１５端部の係合片２０Ａの先端が抜け止め状態に係合し、スラットカーテン８側端のガイド溝１０からの抜け出しが規制される。
スラットカーテン１５が上方の収納部において巻き取られた状態では、係合部材２０のスラット１５厚さ方向への突出部分となる係合片２０Ａが、巻き取り方向に互いに重なり合うスラット１５同士の押圧力により、スラット１５の厚さ方向に回動して押圧縮小される。
【００１３】
請求項３では、図４の実施形態に示されるとおり、前記係合部材２０’は、前記スラット１５の側端部分の背面に基部が開閉可能に設けられ、かつ開き側の最大傾動角度が所定角度に規制された回動片よりなる係合片２０Ａと、該係合片２０Ａを開き側に付勢する付勢手段とを備え、係合片２０Ａの開き側への傾動角度でその傾動端がガイド溝１０の内側に沿って設けられた前記被係合部１２に抜止め状態に係合自在としたことを特徴とする。
【００１４】
請求項３に係る発明の係合部材２０’は、請求項２に係る発明の係合部材２０における固定片２０Ｂを省略し、簡略化した構造である。
請求項２の係合部材２０では、その固定片２０Ｂにより、スラット１５への取付固定が強固で容易となる。
請求項３による係合部材２０’の抜け止め作用及び押圧縮小作用は、請求項２と同様である。
【００１５】
請求項４では、図５の実施形態に示されるとおり、前記係合部材３０は、湾曲若しくは折り曲げ状態に造形された板ばね材からなり、該板ばね材の固定部３０ｂをスラット１５の背面に固定するとともに、板ばね材のばね端となる係合部３０ａをガイド溝１０の内側に沿って設けられた前記被係合部１２に抜止め状態に係合自在としたことを特徴とする。
【００１６】
上記係合部材３０の湾曲形状は、例えば、略半円形状又は略円弧状とすることができる。また、上記係合部材３０の折り曲げ形状は、例えば、垂直片を傾斜状とした略Ｌ形若しくは略Ｚ形とすることができる。
【００１７】
上記の構成では、スラットカーテン８の閉鎖展張時には、ガイド溝１０内において、被係合部１２に、スラット１５端部の係合部材３０の係合部３０ａが抜け止め状態に係合し、スラットカーテン８側端のガイド溝１０からの抜け出しが規制される。
スラットカーテン１５が上方の収納部において巻き取られた状態では、係合部材３０のスラット１５厚さ方向への突出部分となる係合部３０ａが、巻き取り方向に互いに重なり合うスラット１５同士の押圧力により、スラット１５の厚さ方向に押圧縮小される。
【発明の効果】
【００１８】
本発明に係るスラットカーテンの抜止め構造では、スラットカーテンの閉鎖展張時には各スラットに設けた係合部材の係止作用により、スラットカーテンのガイド溝からの抜止めがなされるとともに、スラットカーテンを巻取った状態ではスラット同士の押圧力により、係合部材を押圧縮小させて、巻取り状態で互いに重なり合うスラット側端の引っかかりや、乗上げなどの不具合が生じにくい。
さらに、スラットカーテンの上方収納部内における巻取径を縮小させることが出来る。
【００１９】
請求項２又は３に記載の発明では、上記の作用効果に加え、スラットカーテンが上方の収納部において巻き取られた状態では、係合部材のスラット厚さ方向への突出部分となる係合片が、巻き取り方向に互いに重なり合うスラット同士の押圧力により、スラットの厚さ方向に回動して確実に折り畳み状態に押圧縮小される。
スラットの係合部材による抜け止め係止作用は、板片よりなる係合片の傾斜先端部による突っ張り状の係止となり、その係止作用がより確実である。
【００２０】
請求項２では、係合部材を蝶番構造とし、開閉する蝶番の一方の板を固定片として、スラットに固定させるようにしたので、係合部材のスラットへの取付固定が容易で、より確実となる。
【００２１】
請求項４に記載の発明では、スラットカーテンを閉鎖展張した時には、板ばね材よりなる係合部材が湾曲した状態でガイド溝内に係合し、その固定部がガイド溝内に固定されるため、強いばね力を保ってスラット側端のガイド溝からの抜止めを行う。スラットカーテンの巻取状態では板ばね材よりなる係合部材の端部となるばね端は規制されていないため、そのばね力は小さく、重なり合うスラット同士の押圧力により、容易に平坦化する。
【図面の簡単な説明】
【００２２】
【図１】本発明が適用されるシャッターの全体構成を示す斜視図である。
【図２】（ａ），（ｂ）は本発明の第１実施形態によるスラットカーテンのガイド溝に対する取付け関係を示す分解斜視図、および同取付け状態の平断面図である。
【図３】同スラットカーテンの巻取状態を示す側断面図である。
【図４】（ａ），（ｂ）は本発明の第２実施形態によるスラットカーテンのガイド溝に対する取付け関係を示す分解斜視図、および同取付け状態の平断面図である。
【図５】（ａ），（ｂ）は同第３実施形態によるスラットカーテンのガイド溝に対する取付け関係を示す分解斜視図、および同取付け状態の斜視図である。
【図６】（ａ），（ｂ）は同第４実施形態によるスラットカーテンのガイド溝に対する取付け関係を示す分解斜視図、および同取付け状態の斜視図である。
【図７】（ａ）〜（ｄ）は従来の耐風爪の作用および不具合を示す説明図である。
【発明を実施するための形態】
【００２３】
以下、本発明を適用した第１実施形態を図１〜３を参照して説明する。
図１は本発明が適用されるシャッター部分を含む全体的構成を示すもので、建物外壁１に設けた開口部には掃出し用枠部サッシ２が固定され、このサッシ２の内側に引き違い戸式の一対の掃出し窓サッシ３，３が互いに横移動可能に設けられている。
【００２４】
さらに、外壁１の開口部を覆うべくシャッター４が外付け配置されている。シャツター４は開口部の両側に縦方向に配置された一対のガイドレール５，５と、ガイドレール５の下部にあって、前記枠部サッシ２より一段低い位置の下枠６と、ガイドレール５の上端に連通して水平配置された横長の格納ケースよりなる収納部７と、格納部７に巻取格納されるとともに、必要に応じてガイドレール５に両端ガイドされて引出されて閉鎖展張されるスラットカーテン８を備えている。
【００２５】
前記ガイドレール５はアルミ等の金属押出し成形体であって、図２（ａ），（ｂ）に示すように、対向内方が開口した平面視略コ字状のガイド溝１０と、ガイド溝１０の開口縁両側に、前後対向状に一体に形成した平面視あり溝状の緩衝体保持溝１１と、保持溝１１の開口縁片側より、ガイド溝１０内に向けて一体に内向き略Ｌ形若しくは内向き略コ形に形成された被係合部１２とが、押し出し成型により一体的に形成されている。
【００２６】
以上のガイド溝１０内に側端を挿通ガイドされる前記スラットカーテン８は、図１にも示したように、複数の横長の帯板部材からなる多数のスラット１５の上下端にカール加工により互いに回動可能に連結する連結部１５ａ，１５ｂを形成し、各スラット１５同士を縦方向に撓曲自在に連結したものであり、このうち任意のスラット１５の背面の側端部には、蝶番式に開閉する略蝶番構造の係合部材２０が設けられている。
【００２７】
係合部材２０は、スラット１５の側端部分の背面にスポット溶接などによる固定部２０ｂで固定した蝶番片の一方よりなる固定片２０Ｂと、該固定片２０Ｂの先端にヒンジ軸２１を介して開閉可能に設けられ、かつその開き側の最大傾動角度が所定角度に規制された蝶番片の他方よりなる係合片２０Ａと、該係合片２０Ａを開き側に付勢する付勢手段とを備えている。係合片２０Ａの開き側への傾動角度でその傾動端である係合部２０ａがガイド溝１０の内側に沿って設けられた前記被係合部１２に抜止め状態に係合自在とされている。
【００２８】
この蝶番片構造の係合部材２０は、回動側への最大傾動角度αが所定角度に規制されているとともに、回動側に付勢する付勢手段とを備えている。最大傾動角度の規制手段としては、固定片２０Ｂおよび係合片２０Ａの開閉ヒンジ軸用のヒンジつぼにそれぞれ傾動角度規制用のストッパ片などを設け、また回動方向への付勢手段としては、ヒンジ軸２１に外嵌される付勢力を弱目に設定した既存のトーションばねなどが適用可能である。
【００２９】
上記係合部材２０は、その回動片としての係合片２０Ａの回動先端部となる係合部２０ａが、スラット１５の長手方向の内方であって、ガイド溝１０内に形成された被係合部１２に、突っ張り板状に係合するように、被係合部１２に向けて固定されている。
すなわち、係合部材２０は、その係合片２０Ａの開側への最大傾動角度αで、その回動端となる係合部２０ａが被係合部１２の内向き係合状片に係合することにより、従来の耐風爪と同様に、ガイド溝１０に対する前後方向のガタがあり、ガイド溝１０内をスラット１５が横方向に移動したとしてもガイド溝１０の開口からの抜出を防止出来ることになるのである。
上記係合部材２０は、スラットカーテン８が風圧などにより湾曲した時には、その係合部２０ａが被係合部１２の内向き係合状片に抜け止め係合し、スラットカーテン８の通常の昇降時には係合部材２０は、ガイド溝１０の内壁に接摺しない長さと角度とされることが望ましい。
【００３０】
図３は以上の構造のスラットカーテン８を格納部７内に巻取格納した状態を示している。なお本図では、スラットカ−テン８の完全展張状態でガイド溝１０に側端挿通される各スラット１５のうち複数個（図では３個）おきの両端に前述の係合部材２０を設けているが、ばね圧の設定や、風圧時の湾曲係数などの設定に応じてさらに間隔を明けて設けてもよい。
【００３１】
図３において、格納部７内のほぼ中央には巻取ドラム９が正逆回転可能に配置されており、この巻取ドラム９にはスラットカーテン８の巻取側端部が連結され、スラットカーテン８の完全展張状態で格納部７内に残るいくつかのスラット１５を除き、スラット複数個おきの両側に係合部材２０が配置されている。そして、スラットカーテン８の巻取り状態で互いに重なり合うスラット１５間に位置する係合部材２０は、そのばね圧に抗して押圧縮小される結果、平坦に閉じた状態となり、各スラット１５は巻き取られた状態で収納ケース７内に巻取られ、その巻取径を係合部材２０が無い場合と略同じ径に巻取格納される。
【００３２】
一方、スラット１５同士の重なりが無い位置、すなわち垂直に位置するスラット１５に設けた係合部材２０には、蝶番状に開き方向のばね圧が作用し、最大傾動角度に保たれた状態で、図２（ａ），（ｂ）にも示すように、スラット１５の側端とともに係合部材２０がガイド溝１０内に摺動格納され、従来の耐風爪と同様の作用によって各スラット１５の抜止めを行うことになるのである。
【００３３】
図４（ａ），（ｂ）は、本発明の第２実施形態を示すものである。なお、前記第１実施形態と同一箇所には同一符号を付し、異なる箇所、あるいは新たに付加された箇所にのみ異なる符号を用いて説明する。
第２実施形態にかかる係合部材２０’は、上記第１実施形態にかかる係合部材の蝶番片の一方となる固定片を省略し、又は、短くしたものである。
第２実施形態にかかる係合部材２０’は、短く形成された固定片、ヒンジ軸２１の上下端、又は、そのヒンジ軸２１の挿入筒を対応するスラット１５の裏面に固定させる。
その他の構成と作用は、上記第１実施形態と同様である。
【００３４】
図５（ａ），（ｂ）は本発明の第３実施形態例を示すものである。なお、前記実施形態と同一箇所には同一符号を付し、異なる箇所、あるいは新たに付加された箇所にのみ異なる符号を用いて説明する。
図において、前記スラット１５の側端における背面には弾性板材からなる係合部材３０が固定されている。
係合部材３０は、略半円形状の湾曲形状をした板ばね材により形成され、その中央部が上下二箇所でスポット溶接などにより固定されて固定部３０ｂとされている。また係合部材３０のばね端である両端部はカール加工により小円弧状に形成され、そのスラット１５の長手方向内端部のカール部が、ガイド溝１０内に形成された被係合部１２に係合するように、被係合部１２に向けて延出され、係合部３０ａとされている。
【００３５】
以上の構成においては、スラット５の側端とともに板ばね材よりなる係合部材３０がガイド溝１０内に摺動格納され、かつ係合部材３０のバネ端である係合部３０ａがガイド溝１０内の被係合部１２に係合することによって、従来の耐風爪と同様な作用により、正負の風圧によるスラット１５のガイド溝１０からの抜け出しを防止することになる。
また本実施形態においては、スラットカーテン８の巻取時においては板ばね材よりなる係合部材３０の両端が自由状態となることにより、重なり合うスラット１５同士の押圧力により、その隙間分に応じて平坦化することが可能となるのである。また、係合部材３０のスラット５への固定も、スポット溶接などにより容易である。
【００３６】
図６（ａ），（ｂ）の第４実施形態は、上記第３実施形態における変形例を示している。
第４実施形態に係る係合部材３０’は、その湾曲基部がスラット１５に固定されて固定部３０ｂとされ、固定部３０ｂから湾曲状に延出される係合部材３０’のばね端が、ガイド溝１０内に形成された被係合部１２に係合するように、被係合部１２に向けて延出され、係合部３０ａとされている。
【００３７】
第４実施形態の、その他の構成と作用は、上記第３実施形態と同様である。
【符号の説明】
【００３８】
１  建物外壁
４  シャッター
５  ガイドレール
６  下枠
７  格納部
８  スラットカーテン
９  巻取りドラム
１０  ガイド溝
１１  保持溝
１２  被係合部
１５  スラット
２０（２０’）  係合部材
２０Ａ  係合片
２０Ｂ  固定片
２０ａ  係合部
２０ｂ  固定部
２１    ヒンジ軸
３０（３０’）  係合部材
３０ａ  係合部
３０ｂ  固定部
【図１】
2016125310.tif 000003
【図２】
2016125310.tif 000004
【図３】
2016125310.tif 000005
【図４】
2016125310.tif 000006
【図５】
2016125310.tif 000007
【図６】
2016125310.tif 000008
【図７】
2016125310.tif 000009